(57)【要約】【課題】この発明は、穀物や肥料、飼料、あるいは炭酸カルシウム、カーボンブラック等の工業粉粒製品、樹脂ペレットやリサイクル用の粉砕樹脂といった様々な粉粒体を収容可能とし、輸送、保管の際の取扱いを効率化するためのコンテナバッグに関連し、特に、フレキシブルコンテナバッグの防水性を高めることができるようにした新規な構造からなるフレキシブルコンテナバッグ用防水カバーを提供する。【解決手段】矩形状の胴巻き用防水シート部３の上端縁に円錐台形または角錐台形の外観になし得る頭巾用防水シート部４の下端縁を防水状態に連結し、マント状のカバー本体２とした上、左右合せ縁に面状ファスナーの掛着側と被着側とからなる結合ファスナー部５を設けてなるフレキシブルコンテナバッグ用防水カバー１である。【選択図】    図１
2004352267.tif 000002
【特許請求の範囲】
【請求項１】
全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法および丈寸法を共に越えるだけの横幅寸法、高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、当該左右合せ縁に面状ファスナーの掛着側と被着側とが対をなして形成されて結合ファスナー部を設けてなるものとしたことを特徴とするフレキシブルコンテナバッグ用防水カバー。
【請求項２】
全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法および丈寸法を共に越えるだけの横幅寸法、高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、当該左右合せ縁に面状ファスナーの掛着側と被着側とが対をなして形成されて結合ファスナー部を設けてなるものとし、フレキシブルコンテナバッグの外側に装着されたカバー本体は、結合ファスナー部を合わせた後、その頭巾用防水シート部が、吊り索条周り縁によって形成された開口から吊り索条の上側の一部が導出され、フレキシブルコンテナバッグの吊り上げを可能にすると共に、同吊り索条周り縁が、吊り索条の中途部分に係合してカバー本体のずり落ちを無くした状態で、降り注ぐ雨水を速やかに流下、排水可能とするようにしたことを特徴とするフレキシブルコンテナバッグ用防水カバー。
【請求項３】
全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法および丈寸法を共に越えるだけの横幅寸法、高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、該カバー本体の左右合せ縁の一方の表裏何れかで、その端縁から所定横幅範囲の面には、その全高さ方向の要所要所に面状ファスナーの掛着側か被着側かの何れか一方を横設、一体化すると共に、左右合せ縁の他方の表裏何れか他方で、その端縁に沿う面かその近傍の面の高さ方向全範囲に渡ってか、その要所要所には、先の面状ファスナーの掛着側か被着側かの何れか一方に接着可能となる何れか他方を、同何れか一方に対して略直交状となるよう縦設、一体化した結合ファスナー部を設けてなるものとしたことを特徴とするフレキシブルコンテナバッグ用防水カバー。
【請求項４】
全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法を越える横幅寸法であり、しかも丈寸法に底面略中央までの寸法を加えた長さを越えるだけの高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、該カバー本体の左右合せ縁の一方の表裏何れかで、その端縁から所定横幅範囲の面には、その全高さ方向の要所要所に面状ファスナーの掛着側か被着側かの何れか一方を横設、一体化すると共に、左右合せ縁の他方の表裏何れか他方で、その端縁に沿う面かその近傍の面の高さ方向全範囲に渡ってか、その要所要所には、先の面状ファスナーの掛着側か被着側かの何れか一方に接着可能となる何れか他方を、同何れか一方に対して略直交状となるよう縦設、一体化した結合ファスナー部を設け、該胴巻用防水シート部下端付近に、下端開口を開閉自在に閉鎖可能とする袋閉じ構造を設けてなるものとしたことを特徴とするフレキシブルコンテナバッグ用防水カバー。
【請求項５】
所要大きさの筒体部と、少なくともその下端に一体化されて閉鎖状とする端面部とにより、全体が袋状で軟質素材製のコンテナバッグ本体を有し、その上端外周縁には複数箇所に吊り紐を均衡させて配してなるフレキシブルコンテナバッグであって、内部に穀類その他粉粒体が充填されて満杯状態とし、吊り索条で吊り下げ状としてなるフレキシブルコンテナバッグの胴周り寸法を越える横幅寸法であり、しかも丈寸法に底面略中央までの寸法を加えた長さを越えるだけの高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、該カバー本体の左右合せ縁の一方の表裏何れかで、その端縁から所定横幅範囲の面には、その全高さ方向の要所要所に面状ファスナーの掛着側か被着側かの何れか一方を横設、一体化すると共に、左右合せ縁の他方の表裏何れか他方で、その端縁に沿う面かその近傍の面の高さ方向全範囲に渡ってか、その要所要所には、先の面状ファスナーの掛着側か被着側かの何れか一方に接着可能となる何れか他方を、同何れか一方に対して略直交状となるよう縦設、一体化した結合ファスナー部を設け、該胴巻用防水シート部下端付近に、下端開口を開閉自在に閉鎖可能とする袋閉じ構造を設けてなるものとしたことを特徴とするフレキシブルコンテナバッグ用防水カバー。
【請求項６】
吊り索条周り縁は、その周りに所定巾の立ち襟部が形成され、該立ち襟部の左右合せ縁にも面状ファスナーの掛着側と被着側とが対をなして形成されてなるものとした、請求項１ないし５項何れか一項記載のフレキシブルコンテナバッグ用防水カバー。
【請求項７】
吊り索条周り縁は、その左右合せ縁の間に、同左右合せ縁を合わせて形成されることになる開口を閉鎖状になし得る被冠用防水シート部が連結、組み合されてなるものとした、請求項１ないし６項何れか一項記載のフレキシブルコンテナバッグ用防水カバー。
【請求項８】
袋閉じ構造は、フレキシブルコンテナバッグの底面略中央付近に束ねられた胴巻用防水シート部下端縁を外側から捲着可能であり、適所に設けられた面状ファスナーによって仮固定可能とする掛着用バンドから形成されてなる、請求項４または５何れか一項記載のフレキシブルコンテナバッグ用防水カバー。
【発明の詳細な説明】
【０００１】
【発明の目的】
この発明は、米や麦、粟、黍、豆等の穀物類をはじめ、肥料や飼料、炭酸カルシウムやカーボンブラック等といった工業粉粒製品、セメント、土石類等の窯業用粒状体、あるいは樹脂ペレット、リサイクル用の粉砕樹脂といった粉状、粒状の樹脂原料等、様々な粉粒物資を、所定量収容可能とした上、輸送、保管の際の取扱いを効率化するために採用されているコンテナバッグに関連し、特に、フレキシブルコンテナバッグとして知られるコンテナバッグの防水性を高めることができるようにした新規な構造からなるフレキシブルコンテナバッグ用防水カバーを提供しようとするものである。
【０００２】
【従来の技術】
糠層と胚芽を完全に除去したクリーン米（一般に無洗米、パール米、真珠米等）は、酸化して脂肪酸になり易い脂肪分を多く含む糠の殆どが除去されているため、籾米や玄米に比較して貯蔵性に秀れる上、家庭で研ぎ汁を出さないので自然環境にも優しく、水を注いで炊くだけで美味しいご飯が炊き上がり、しかも冷えても艶があり、美味しさや粘りが保たれる等の理由から、通常の精米が施された精白米に比較して高価であるにも拘らず、年々需要が増加して、各地に設置された大規模なライスセンターでも、そのニーズに応えようと、処理能力に秀れた無洗米装置を導入する動きが盛んになってきている。
【０００３】
このような大型のライスセンターにおいて大量に精米された米を、一時的に保管するのに用いられるのが、不要のときには折り畳んで収納し、必要なときには簡便に展開させて利用することができ、耐久性に秀れていて耐用年数も比較的長い、天然繊維製あるいはポリエステル強化繊維製等の大型袋からなり、袋の上部か周壁面の複数適所に吊り索条を繋着して吊り上げ自在としたフレキシブルコンテナバッグであり、こうしたフレキシブルコンテナバッグは、フォークリフトやクレーン等によって効率的に運搬することができ、屋内外を問わずに容易に移動、積み上げ保管を可能とするが、通気性を確保した構造のために防水性に難があり、天候の悪化に伴って屋内に移送したり、ライスセンターの就業時刻前に倉庫に運び込む等の作業負担が避けられないという欠点があった。
【０００４】
こうした欠点を補うものとして、例えば、登録実用新案第３０３８２３３号公報に開示された「二重フレキシブルコンテナバッグ」考案のように、コンテナバッグと、コンテナバッグを収容するスペースを備えた外カバーとよって構成され、コンテナバッグを外カバーにセットして二重構造としてあり、外カバーの周部にコンテナバッグ吊支ベルト用の複数の吊支ベルト導出口を等間隔に形成し、胴周りの適所にコンテナバッグの被包を解くための被包解除部が設けられているもの等も既に開発されているが、この従前のものはコンテナバッグ天面上の外カバーが平らな状態となり、特に吊支ベルトを吊り上げて移動させるとき等には同天面に雨水を溜め易く、その結果、長時間に渡って水溜まりができると、外カバーの防水層を劣化させ、耐用年数を短縮してしまう虞れがある上、被包解除部は調節機能をもたず、同一形状、寸法で、且つ同一箇所に吊支ベルトが配置されているものしか使用できない構造となっており、異なる寸法、形状のコンテナバッグに対して外カバーを装着しての吊下げ運搬や屋外保管をすることが不可能なものとなっていた。
【０００５】
また、フレキシブルコンテナーバッグの上側部に簡易的に装着し、ある程度の防水性を確保できるものとして、例えば登録実用新案第３０１０７１８号公報「フレキシブルコンテナ用キャップ」考案に提案されているものも見受けられるが、この従来例によるもの等は、フレキシブルコンテナーバッグの天面付近だけを防水することを目的としているものであり、フレキシブルコンテナーバッグ全体を防水する機能を有するものではないことから、横殴りの雨等に対応できないという不都合を生じることとなった。
【０００６】
そこで、この発明は、上記のとおりの状態のままに推移していて、フレキシブルコンテナーバッグの効率的な利用が妨げられていたという実情に疑問を抱き、多少寸法の異なるコンテナーバッグであっても容易に調節して装着することができ、防水性や耐久性にも秀れた防水カバーの実現はできないものかとの判断から、逸速くその開発、研究に着手し、長期に渡る試行錯誤と幾多の試作、実験とを繰り返してきた結果、今回、遂に新規な構造のフレキシブルコンテナバッグ用防水カバーを実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明に包含されるフレキシブルコンテナバッグ用防水カバーは、基本的に次のような構成から成り立っている。
即ち、全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法および丈寸法を共に越えるだけの横幅寸法、高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、当該左右合せ縁に面状ファスナーの掛着側と被着側とが対をなして形成されて結合ファスナー部を設けてなるものとした構成を要旨とするフレキシブルコンテナバッグ用防水カバーである。
【０００８】
この基本的な構成からなるこの発明のフレキシブルコンテナバッグ用防水カバーを、換言すれば、全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法および丈寸法を共に越えるだけの横幅寸法、高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、当該左右合せ縁に面状ファスナーの掛着側と被着側とが対をなして形成されて結合ファスナー部を設けてなるものとし、フレキシブルコンテナバッグの外側に装着されたカバー本体は、結合ファスナー部を合わせた後、その頭巾用防水シート部が、吊り索条周り縁によって形成された開口から吊り索条の上側の一部が導出され、フレキシブルコンテナバッグの吊り上げを可能にすると共に、同吊り索条周り縁が、吊り索条の中途部分に係合してカバー本体のずり落ちを無くした状態で、降り注ぐ雨水を速やかに流下、排水可能とするようにしたフレキシブルコンテナバッグ用防水カバーであるということができる。
【０００９】
また、より具体的な構造のものとして示すと、全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法および丈寸法を共に越えるだけの横幅寸法、高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、該カバー本体の左右合せ縁の一方の表裏何れかで、その端縁から所定横幅範囲の面には、その全高さ方向の要所要所に面状ファスナーの掛着側か被着側かの何れか一方を横設、一体化すると共に、左右合せ縁の他方の表裏何れか他方で、その端縁に沿う面かその近傍の面の高さ方向全範囲に渡ってか、その要所要所には、先の面状ファスナーの掛着側か被着側かの何れか一方に接着可能となる何れか他方を、同何れか一方に対して略直交状となるよう縦設、一体化した結合ファスナー部を設けてなるものとした構成のフレキシブルコンテナバッグ用防水カバーとなる。
【００１０】
更に具体的には、全体が袋状の軟質素材製で、その上端縁に吊り索条を均衡させて配してなるフレキシブルコンテナバッグであって、内部に粉粒体が充填されて満杯状態とし、吊り索条で吊り下げ状としてなるフレキシブルコンテナバッグの胴周り寸法を越える横幅寸法であり、しかも丈寸法に底面略中央までの寸法を加えた長さを越えるだけの高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、該カバー本体の左右合せ縁の一方の表裏何れかで、その端縁から所定横幅範囲の面には、その全高さ方向の要所要所に面状ファスナーの掛着側か被着側かの何れか一方を横設、一体化すると共に、左右合せ縁の他方の表裏何れか他方で、その端縁に沿う面かその近傍の面の高さ方向全範囲に渡ってか、その要所要所には、先の面状ファスナーの掛着側か被着側かの何れか一方に接着可能となる何れか他方を、同何れか一方に対して略直交状となるよう縦設、一体化した結合ファスナー部を設け、該胴巻用防水シート部下端付近に、下端開口を開閉自在に閉鎖可能とする袋閉じ構造を設けてなるものとしたフレキシブルコンテナバッグ用防水カバーであるということができる。
【００１１】
そして、より望ましい構造のものとしては、所要大きさの筒体部と、少なくともその下端に一体化されて閉鎖状とする端面部とにより、全体が袋状で軟質素材製のコンテナバッグ本体を有し、その上端外周縁には複数箇所に吊り紐を均衡させて配してなるフレキシブルコンテナバッグであって、内部に穀類その他粉粒体が充填されて満杯状態とし、吊り索条で吊り下げ状としてなるフレキシブルコンテナバッグの胴周り寸法を越える横幅寸法であり、しかも丈寸法に底面略中央までの寸法を加えた長さを越えるだけの高さ寸法に設定された略矩形状の胴巻き用防水シート部と、下端縁が、当該胴巻き用防水シート部上端縁全長以上の長さを有し、円錐台形または角錐台形の外観になし得るよう裁断してなる頭巾用防水シート部とからなり、それら胴巻き用防水シート部の上端縁と頭巾用防水シート部の下端縁とを対応させて防水状態に連結、一体化することにより、上方に吊り索条周り縁、その下方を左右の合せ縁としたマント状のカバー本体とした上、該カバー本体の左右合せ縁の一方の表裏何れかで、その端縁から所定横幅範囲の面には、その全高さ方向の要所要所に面状ファスナーの掛着側か被着側かの何れか一方を横設、一体化すると共に、左右合せ縁の他方の表裏何れか他方で、その端縁に沿う面かその近傍の面の高さ方向全範囲に渡ってか、その要所要所には、先の面状ファスナーの掛着側か被着側かの何れか一方に接着可能となる何れか他方を、同何れか一方に対して略直交状となるよう縦設、一体化した結合ファスナー部を設け、該胴巻用防水シート部下端付近に、下端開口を開閉自在に閉鎖可能とする袋閉じ構造を設けてなるものとした構成のフレキシブルコンテナバッグ用防水カバーということになる。
【００１２】
カバー本体は、高い防水性を有してフレキシブルコンテナバッグの外側を覆い、同フレキシブルコンテナバッグ中に収容された内容物を、雨水や雪解け水の浸水、害虫、異物等の侵入から保護する機能を果たし、フレキシブルコンテナバッグの外側に脱着自在に装着可能であると共に、吊り索条による吊り下げ、移動作業を可能とする構造とし、しかも装着したときには、同フレキシブルコンテナバッグの少なくとも降雨や積雪に曝される上方外側を、内容物の量や荷姿外側形状に拘らず、略完全に覆い尽すことができるものとなければならず、高い防水性を確保可能な合成樹脂、天然ゴム、繊維強化樹脂、あるいはこれらの複合材、もしくはそれらに天然繊維や発泡樹脂シート、金属箔等をラミネート加工する等して製造されたシート素材から形成されたものとすべきである。
【００１３】
胴巻き用防水シート部は、フレキシブルコンテナバッグの胴周り部分の外周を覆い、防水性を確保して害虫や異物の侵入をも阻止可能とする機能を果たすものであり、少なくともフレキシブルコンテナバッグの胴部の上下間を隙間なく覆うことができる寸法、形状としなければならず、下端をフレキシブルコンテナバッグの底面まで覆い尽すことができる程度に延伸させたものとするのが望ましく、底面に対応させる部分には移動の際の引き摺りや、荷重に対する強度を高めるクッション材や保温材等を一体に装着したり、あるいは強靱な強化合成樹脂シートで保護する等の緩衝、補強構造を付加したものとすることができる。
【００１４】
頭巾用防水シート部は、フレキシブルコンテナバッグの上方位となった天面の殆どを覆い、フレキシブルコンテナバッグの天面が、降り注ぐ雨水に直接曝されるのを防止すると共に、天面付近からの虫や異物の侵入を阻止、可能とする機能を果たすものであり、フレキシブルコンテナバッグ天面上に円錐台形あるいは角錐台形状を積極的に形成するよう装着され、中心側から外側へ向けて水滴を速やかに流下させることができる外郭形状のものとし、装着の際に略中央となる位置には、吊り索条を導出可能とする吊り索条周り縁を形成したものとしなければならず、該吊り索条周り縁が、吊り索条の中途部に外側から係合状となってカバー本体を吊り下がり状に装着可能とし、前記胴巻き用防水シート部と略同様の素材から形成すべきであり、必要に応じて外周表面に太陽光の特に紫外線や赤外線等を反射あるいは吸収する性質をもつ素材や保温材等を積層状に設けたものとすることができる。
【００１５】
吊り索条周り縁は、カバー本体の上端縁付近を、フレキシブルコンテナバッグの吊り索条中途部付近にずり落ちないよう係合状に装着可能とし、しかも装着する際に、頭巾用防水シート部の上端縁を、円錐台形あるいは角錐台形とするよう上側に向かって窄まる形状とする機能を果たし、カバー本体の重量を吊り下げて長期に渡って使用可能な程度に十分な耐久強度を有するものとしなければならず、必要に応じて吊り索条に接する内周壁面を補強すると共に、吊り索条に損傷を与えないよう保護するために、合成樹脂、天然ゴム、強化繊維製等の当布や、金属、強化樹脂、セラミック製等の適宜面取りあるいは曲面状に加工された当板等を装着したものとするとよく、その周りに所定巾の立ち襟部が形成され、該立ち襟部の左右合せ縁にも面状ファスナーの掛着側と被着側とが対をなして形成されてなるものとすることができる外、その左右合せ縁の間に、同左右合せ縁を合わせて形成されることになる開口を閉鎖状になし得る被冠用防水シート部が連結、組み合されてなるものとすることも可能である。
【００１６】
結合ファスナー部は、カバー本体の左右端縁を、その上下端間の略全長に渡って開閉操作容易に閉鎖可能とし、カバー本体内に風雨等が吹き込むのを阻止し、害虫や異物等が混入するのを防止、可能とする機能を果たすものであり、カバー本体の左右縁部同士を、装着対象となるフレキシブルコンテナバッグの外周寸法に対応可能とするよう、所定幅範囲内で重ね合わせ寸法を変更、調節可能としたものとしなければならず、カバー本体の左右縁部の一方外周面に、対をなす縦ファスナーの一方側を、所定横幅間隔毎に複数条配置形成し、左右縁部の他方縁に縦ファスナーの他方側を一条のみ形成し、装着の際に最適となる位置の縦ファスナー同士を噛合状として閉鎖可能とすることができる外、一方がキノコ状、傘状、あるいは鈎状に形成された複数の係合片が、一面に形成された掛着側の面状ファスナーと、これら係合片が掛着し易いループ状に形成された複数の被着片が、略全面に形成された被着側の面状ファスナーとが互いに対をなし、横幅方向の位置調節および閉鎖、結合ができる構造とすることも可能である。
【００１７】
袋閉じ構造は、フレキシブルコンテナバッグの底面側に周り込んで包囲する胴巻用防水シート部下端を、密閉状に閉鎖可能として吊り下げ状態において地面から跳ね返る雨水や雪解け水等が、フレキシブルコンテナバッグを濡らすのを阻止すると共に、底面側から虫や異物等が防水カバー中に侵入するのを防止する機能を果たすものであり、胴巻用防水シート部下端に面状ファスナーの掛着側と被着側とを適宜対をなすように設けて閉鎖可能とする構造や、あるいは、胴巻用防水シート部下端側の外周面適所に基端が設けられ、胴巻用防水シート部下端を束ね合わせた部分に中途部を捲回状として先端側を同基端側に掛着可能とするよう、基端側外周面と先端側接合面との夫々に対をなす面状ファスナーを設けた掛着用バンドを設けた構造とすることができる外、胴巻用防水シート部下端外周面の適所に、束ね合わせ状とした胴巻用防水シート部下端を密閉状に縛ることができる二股に分かれた結び紐を設けたものとすることも可能である。
【００１８】
フレキシブルコンテナバッグは、米、麦、粟、黍、豆類等の穀物食品や、飼料、肥料といった農・畜産用品類、炭酸カルシウム、カーボンブラック等の工業薬品やセメント、土石類等の窯業用鉱物類、および樹脂ペレット、リサイクル用の粉砕樹脂といった樹脂原料等の粉粒体貨物を、所定量収容可能として輸送、保管の際の取扱いを効率化する機能を果たすものであり、所定量の内容物を収容可能な袋状であり、空の状態では、容易に折り畳み可能な程度の柔軟性を持つものとして形成される。
【００１９】
吊り索条は、内容物を収容したフレキシブルコンテナバッグのコンテナバッグ本体を、均衡よく吊り下げて移動可能にすると共に、使用しないときには、柔軟に変形可能であって折り畳み自在となる等、作業性を良くするとともに、収納、保管の便宜を図る機能を果たすものであり、コンテナバッグ本体に一体に形成されたものとするだけではなく、コンテナバッグ本体に対して別体に設けられていて脱着可能な構造のものとして形成することも可能であり、したがって、樹脂繊維、天然繊維、ワイヤー等からなる吊りロープや吊りベルトによるだけではなく、金属製チェーン等上記機能を果たし得るものであれば、特にその素材、構造を問わないで使用されている。
以下では、図面に示すこの発明を代表する実施例と共に、その構造について詳述することとする。
【００２０】
【実施例】
図１の装着時のフレキシブルコンテナバッグ用防水カバーの斜視図、図２の分解状態にあるフレキシブルコンテナバッグ用防水カバーの正面図、図３の図１中の鎖線円Ａ部分の断面図、図４の図１中の鎖線円Ａ部分の他構造の断面図、および図５の装着されたフレキシブルコンテナバッグ用防水カバーの斜視図に示される事例は、内部に粉粒体が充填されて満杯状態とし、吊り索条６１で吊り下げ状としてなるフレキシブルコンテナバッグ６の胴周り寸法および丈寸法を共に越えるだけの横幅、高さ寸法に設定した略矩形状の胴巻き用防水シート部３と、下端縁が、当該胴巻き用防水シート部３上端縁全長以上の長さを有し、略円錐台形の外観になし得るよう裁断した頭巾用防水シート部４とを有し、それら胴巻き用防水シート部３の上端縁と頭巾用防水シート部４の下端縁とを防水状に連結、一体化することによってカバー本体２とした、この発明の基本的構成を兼ね備えてなるフレキシブルコンテナバッグ用防水カバー１の代表的な一実施例を取り上げたものである。
【００２１】
図２中に示すように、この実施例におけるフレキシブルコンテナーバッグ用防水カバー１は、防水性を有する合成樹脂シート素材製であって、装着の対象となる内容物を満杯に収容したフレキシブルコンテナバッグ６の周壁面の上下寸法を越えてその底面の略中央に達し、さらに下端部分を束ね合わせ可能な程度の縦寸法に設定され、同フレキシブルコンテナバッグ６の外周寸法を越える横幅寸法に設定された矩形シート状の胴巻用防水シート部３、および、該胴巻用防水シート部３の上端縁横長寸法と略同一の外周寸法の円弧型シート状であり、中央には、略同心状の配置となる帯状をなした吊り索条周り縁４１を立て襟状に形成してなる頭巾用防水シート部４から構成されている。
【００２２】
そして、前記胴巻用防水シート部３の上端縁と頭巾用防水シート部４の外周縁とを、図３中に示すように、内側に折り込むよう接合して強固に縫合したものとするか、あるいは、図４中に示すように、互いの所定寸法幅縁を折り返して噛み合せ状に重ね合わせ、防水シートの外側と内側とを貫通するよう強固に縫合したものとするかして一体化したものとしているが、何れの場合にも、必要があるならば、外部に露出状となる縫い目部分やシート継ぎ目部分には、防水用の樹脂を塗布、含浸させる等して高い防水性を確保するようにする等、防水機能により有利な構成が採用されてなるカバー本体２としてもよい。
【００２３】
カバー本体２は、その左右端縁部分の中、何れか一方側となる端縁部外周壁面に、図１中に斜線表示される縦範囲、および、それに連続する横幅方向の複数の枝状範囲の夫々に、ループ状の小片が多数、一面に形成されてなる被着側の面状ファスナー５１が装着され、同様の枝状をなす面状ファスナー５１は、吊り索条周り縁４１一方側端の外周面にも装着され、また、カバー本体２の何れか他方側となる端縁部内周壁面には、同図中破線で示される縦範囲に、鈎状の小片が多数、一面に形成された掛着側の面状ファスナー５２が装着されており、同様の縦型の面状ファスナー５２は、吊り索条周り縁４１他方側端の内周面にも装着されており、これら被着側および掛着側の各面状ファスナー５１，５２によって結合ファスナー部５が形成されたものとなっている。
【００２４】
吊り索条周り縁４１の内外周壁面の何れか適所、あるいは吊り索条周り縁４１に近接する頭巾用防水シート部４の上端付近の内外周壁面の何れか適所には、装着の際に環状となる吊り索条周り縁４１の内側を閉鎖可能とする被冠用防水シート部４２が縫合、一体化されたものとなっており、同被冠用防水シート部４２は、頭巾用防水シート部４と略同等の防水性能を有する素材からなり、比較的軟質で折り畳み容易なものとなっている。
【００２５】
また、胴巻き用防水シート部３の下端側外周壁面の適所には、基端側の外側面に被着側の面状ファスナー５２が、先端側の内側面に掛着側の面状ファスナー５１が、夫々装着された掛着用バンド３２の基端部を縫合し、その縫合部を合成樹脂で被覆することによって防水処理して袋閉じ構造３１を形成したものとなっている。
【００２６】
【発明の作用】
以上のとおりの構成からなるこの発明のフレキシブルコンテナバッグ用防水カバー１は、フレキシブルコンテナバッグ６を屋外に保管する場合や、輸送する場合等において、以下に示すとおりの使用によって所期の目的を達成する。
先ず、図１中に示すように、吊り索条６１をフォークリフトあるいはクレーン等に吊り下げ、内容物を満杯に収容したフレキシブルコンテナバッグ６を、カバー本体２を装着し易い高さまで吊り上げ、カバー本体２の頭巾用防水シート部４をフレキシブルコンテナバッグ６の上端面上に配置させ、吊り索条周り縁４１で吊り索条６１の周囲に係合可能な輪状をなすように、同吊り索条周り縁４１左右端同士の結合ファスナー部５を貼り合わせてカバー本体２が落下しないよう吊り下げた状態とする。
【００２７】
引き続き、同輪状吊り索条周り縁４１中の、吊り索条６１中途部との間に開口された隙間に、被冠用防水シート部４２を配置させて閉鎖状態とし、胴巻き用防水シート部３を同フレキシブルコンテナバッグ６の胴周りにマント状に配置させ、弛みのないよう左右端部の重なり具合を調節した上、結合ファスナー部５の被着側面状ファスナー５１に、同掛着側面状ファスナー５２を脱着自在に貼り合わせ、さらに、図５中に示すように、フレキシブルコンテナバッグ６の胴部分から下方に垂下り状となっている胴巻き用防水シート部３の下端側を、同フレキシブルコンテナバッグ６の底面略中央に束ねるようにまとめ、その外周を袋閉じ構造３１である掛着用バンド３２で捲着、仮閉鎖状として装着作業を完了する。
【００２８】
このように装着されたフレキシブルコンテナバッグ用防水カバー１は、上部の頭巾用防水シート部４が、吊り索条周り縁４１を係合した吊り索条６１中途部からフレキシブルコンテナバッグ６の天面外周縁に掛けて略円錐台形状あるいは角錐台形状になり、降り注ぐ雨水は速やかに流下するものとなり、頭巾用防水シート部４外周縁から胴巻き用防水シート部３の上端縁側に流れ下る雨滴は、図３もしくは図４に示されるように縫合された継ぎ目を通過するが、十分な防水処理を施したものでは、その際の雨水の浸透の心配は一切無いものとなり、しかも、縫合も強固なものにしてあって、装着の際の張力にも絶えて十分な耐久強度が得られるものとなっている。
【００２９】
上方からフレキシブルコンテナバッグ６に降り注ぐ雨水は、胴巻き用防水シート部３を装着したフレキシブルコンテナバッグ６の底面外周縁付近まで達すると、雨滴の自重によって自然に落下してしまうことから、カバー本体２内部への浸水は防止され、しかも、胴巻き用防水シート部３の下端構造を袋閉じ構造３１とする掛着用バンド３２によって封鎖してあるため、水滴の跳ね返りや害虫、異物等の侵入も確実に阻止するものとなる。
【００３０】
また、輸送や屋外保管等を終え、フレキシブルコンテナバッグ用防水カバー１をフレキシブルコンテナバッグ６から取り外す際には、装着したときのようにフレキシブルコンテナバッグ６を適宜高さに吊り上げ、袋閉じ構造３１の掛着用バンド３２を解き、結合ファスナー部５の被着側面状ファスナー５１から掛着側面状ファスナー５２を引き剥がしてカバー本体２を取り外すこととなり、この簡便な操作によって取り外されたフレキシブルコンテナバッグ用防水カバー１は、引き続いて他のフレキシブルコンテナバッグ６のカバーとしてそのまま使用されるか、あるいは適宜乾燥、掃除した後にきれいに折畳み、保管して次回の使用に備えることとする。
【００３１】
【発明の効果】
以上のとおり、この発明のフレキシブルコンテナバッグ用防水カバーによれば、何よりも先ず、フレキシブルコンテナバッグの天面上を覆う頭巾用防水シート部が、円錐台形あるいは角錐台形といった錐状をなしていて、降り注ぐ雨水を外側に向けて速やかに流下させてしまうことから、高い防水性を確保することができる上、特に吊り索条を吊り上げて移動する際に、上下に強く緊張状となって雨滴や風雪、塵や埃等の異物類を速やかに落下させ、屋外から雨水や積雪、塵埃等を屋内に持ち込んでしまう量を格段に減少させることができるという秀れた効果を発揮することができる。
【００３２】
しかも、頭巾用防水シート部ならびに胴巻き用防水シート部の左右端縁に設けられた結合ファスナー部は、フレキシブルコンテナバッグの胴周り寸法に合わせて調節可能な構造としてあって弛みや皺がない状態に装着できることから、吊下げ移動の際にも周辺物への引っ掛かりを防止できることになって、輸送時間の遅延や引っ掛かりによる破損等を無くし、雨中や雪中でも全くそれらの浸透を心配することなくして搬送に専念することができるという大きな効果も奏するものとなる。
【００３３】
特に、実施例に説明したフレキシブルコンテナバッグ用防水カバー１は、上記した特徴に加え、図５中に示したように、吊り索条周り縁４１に設けられた被冠用防水シート部４２によって上方の開口を塞ぎ、また、胴巻き用防水シート部３下端に設けられ袋閉じ構造３１の掛着用バンド３２によって下方の開口を閉鎖することにより、屋外での載置保管あるいは積み上げ保管した際にも、雨水や雪解け水の侵入を防止できる外、害虫や異物の侵入を防止することができるものとなり、しかも室内に搬入して取り外すときには、フレキシブルコンテナバッグ６の吊り下げを維持したまま、胴巻き用防水シート部３袋閉じ構造３１の掛着用バンド３２を解き、頭巾用防水シート部４の吊り索条周り縁４１から胴巻き用防水シート部３下端に至る結合ファスナー部５の掛着側面状ファスナー５２を、被着側面状ファスナー５１から引き剥がすだけで簡便、迅速に取り外すことができることとなって、作業効率を大幅に向上できるという利点が得られるものとなっている。
【００３４】
叙述の如く、この発明のフレキシブルコンテナバッグ用防水カバーは、その新規な構成によって所期の目的を遍く達成可能とするものであり、しかも製造も容易で、従前からの防水カバーに比較して構造を簡素化し、耐久性を向上できるので、遥かに経済的なものとすることができる上、粉粒体荷物の輸送や保管作業の効率も大幅に高めることができることから、経費の削減と作業工数の短縮と、安全且つ円滑な作業性の確保とが確実なものになって、作業の改善が求められるコンテナ製造業界からは勿論のこと、これらを利用する農業、畜産業、建設業、窯業、化学工業等の各方面の業界からも高い評価が得られ、広範に渡って利用、普及していくものになると予想される。
【図面の簡単な説明】
図面は、この発明のフレキシブルコンテナバッグ用防水カバーの技術的思想を具現化した代表的な一実施例を示すものである。
【図１】フレキシブルコンテナバッグ用防水カバーの構造を示す斜視図である。
【図２】分解された防水カバーを示す正面図である。
【図３】図１中の鎖線円Ａ部分の断面構造を示す側面図である。
【図４】図１中の鎖線円Ａ部分の他の断面構造を示す側面図である。
【図５】コンテナバッグに装着された防水カバーを示す斜視図である。
【符号の説明】
１      フレキシブルコンテナバッグ用防水カバー
２      カバー本体
３      胴巻き用防水シート部
３１    同  袋閉じ構造
３２    同  掛着用バンド
４      頭巾用防水シート部
４１    同  吊り索条周り縁
４２    同  被冠用防水シート部
５      結合ファスナー部
５１    同  被着側（面状ファスナー）
５２    同  掛着側（面状ファスナー）
６      フレキシブルコンテナバッグ
６１    同  吊り索条
【図１】
2004352267.tif 000003
【図２】
2004352267.tif 000004
【図３】
2004352267.tif 000005
【図４】
2004352267.tif 000006
【図５】
2004352267.tif 000007